(57)【要約】【課題】短時間で容易に作製することができるとともに、抜き落とされるブランクをスムーズに落下させることができるブランキング下型を提供する。【解決手段】材料シート２に対する打抜き加工にて得られるブランク２ａを抜き落とすためのブランキング下型４において、ブランク２ａが通過可能なブランク落下孔１７を有する板状のブランキング下型基板１５と、このブランキング下型基板１５の下面側に垂設され、ブランク落下孔１７の内周面２７と面一の平坦な案内板面２８，３６を有するブランク落下案内壁板２５ａ，３５とを備え、ブランク落下孔１７を通して落下されるブランク２ａの落下を案内板面２８，３６で案内するようにする。【選択図】図１
2018086713.tif 000002
【特許請求の範囲】
【請求項１】
材料シートに対する打抜き加工にて得られるブランクを抜き落とすためのブランキング下型であって、
前記ブランクが通過可能なブランク落下孔を有する板状のブランキング下型基板と、このブランキング下型基板の下面側に垂設され、前記ブランク落下孔の内周面と面一の平坦な案内板面を有するブランク落下案内壁板とを備え、前記ブランク落下孔を通して落下される前記ブランクの落下を前記案内板面で案内するようにしたことを特徴とするブランキング下型。
【請求項２】
前記ブランク落下案内壁板は、前記案内板面を構成する板面を有する一のベニヤと前記案内板面と平行な板面を有する他のベニヤとをその厚み方向に重ね合わせてなる合板により構成することを特徴とする請求項１に記載のブランキング下型。
【請求項３】
前記ブランキング下型基板における前記ブランク落下孔の外側に、少なくとも下方に開口された位置決め用開口部を、前記ブランク落下孔との間に所定肉厚部を有するように設け、前記ブランキング下型基板の下面に突き当てられる前記ブランク落下案内壁板の上面に、前記所定肉厚部に当接可能な肉厚部当接面部を設けるとともに、前記位置決め用開口部と係合可能な突起を設け、前記所定肉厚部に前記肉厚部当接面部が当接されるまで前記位置決め用開口部に前記突起を差し込み係合させることで、前記ブランク落下孔の内周面と前記ブランク落下案内壁板の前記案内板面とが面一の状態で前記ブランキング下型基板に対し前記ブランク落下案内壁板が位置決めされるようにすることを特徴とする請求項１または２に記載のブランキング下型。
【発明の詳細な説明】
【技術分野】
【０００１】
本発明は、材料シートに対する打抜き加工にて得られるブランクを抜き落とすためのブランキング下型に関し、特に、抜き落とされたブランクの落下を案内する機能を有するブランキング下型に関するものである。
【背景技術】
【０００２】
従来、平盤打抜き装置を用いて例えば箱体の展開形態のシート材であるブランクを製作する際には、以下の第１〜第３工程が行われる。
【０００３】
（第１工程）
所要寸法の材料シートを平盤打抜き装置の給紙部から型打抜き部に供給し、箱体を展開した所定形状のブランクを得るための型打抜きを行う。このとき、型打抜きされた材料シートは、ブランクと抜き屑となる部分とが所要箇所に設けられた繋ぎ部によって繋ぎ止められることで横送り可能な状態にされる。
（第２工程）
次いで、上記第１工程を経た材料シートを、平盤打抜き装置の抜き屑除去部に送り、この抜き屑除去部において、材料シートから孔部や切込部などの細部の抜き屑を除去する。
（第３工程）
そして、上記第２工程を経た材料シートを、平盤打抜き装置の排出部に送り、この排出部において、材料シートにおけるブランクの回りの外郭余剰部からブランクを抜き落とす。なお、抜き落とされたブランクは、下方に配置されるテーブル上に積み重ねられる。
【０００４】
上記の第３工程でブランクを抜き落とす際には、ブランキング型が用いられる。ブランキング型は、材料シートの搬送ラインを挟むように上下に配されるブランキング上型とブランキング下型とにより構成されている。ブランキング上型は、ブランクを下方へと押し込むためのブランク押込部材を有してなり、一方、ブランキング下型は、ブランキング上型のブランク押込部材で下方へと押し込まれたブランクを抜き落とすためのブランク落下孔を有してなるものである。このブランキング型においては、ブランキング上型のブランク押込部材でブランクをブランキング下型のブランク落下孔へと押し込むことにより、ブランクとその回りの外郭余剰部との間の繋ぎ部を剪断してブランクを落下させるようにしている（特許文献１参照）。
【先行技術文献】
【特許文献】
【０００５】
【特許文献１】特開２００４−１０６１０６号公報
【０００６】
ところで、従来のブランキング下型は、ブランクの外形と相似形状でブランクが通過可能なブランク落下孔を有する複数の合板を積層してなるものであり、ブランク落下孔の内周面が、抜き落とされるブランクの案内面として機能しているので、ブランクの落下を良好に案内するために、ブランク落下孔の深さ寸法は一般的に大きく設定されている。
【０００７】
このため、合板の積層枚数が多くなり、複数の合板を貼り合せる作業や、ブランク落下孔の内周面を段差がないように平らに削る作業などが必要であるので、多大な労力と時間が必要になるという問題点がある。
【発明の概要】
【発明が解決しようとする課題】
【０００８】
本発明は、前述のような問題点に鑑みてなされたもので、短時間で容易に作製することができるとともに、抜き落とされるブランクをスムーズに落下させることができるブランキング下型を提供することを目的とするものである。
【課題を解決するための手段】
【０００９】
前記目的を達成するために、本発明によるブランキング下型は、
材料シートに対する打抜き加工にて得られるブランクを抜き落とすためのブランキング下型であって、
前記ブランクが通過可能なブランク落下孔を有する板状のブランキング下型基板と、このブランキング下型基板の下面側に垂設され、前記ブランク落下孔の内周面と面一の平坦な案内板面を有するブランク落下案内壁板とを備え、前記ブランク落下孔を通して落下される前記ブランクの落下を前記案内板面で案内するようにしたことを特徴とするものである（第１発明）。
【００１０】
本発明において、前記ブランク落下案内壁板は、前記案内板面を構成する板面を有する一のベニヤと前記案内板面と平行な板面を有する他のベニヤとをその厚み方向に重ね合わせてなる合板により構成するのが好ましい（第２発明）。
【００１１】
本発明において、前記ブランキング下型基板における前記ブランク落下孔の外側に、少なくとも下方に開口された位置決め用開口部を、前記ブランク落下孔との間に所定肉厚部を有するように設け、前記ブランキング下型基板の下面に突き当てられる前記ブランク落下案内壁板の上面に、前記所定肉厚部に当接可能な肉厚部当接面部を設けるとともに、前記位置決め用開口部と係合可能な突起を設け、前記所定肉厚部に前記肉厚部当接面部が当接されるまで前記位置決め用開口部に前記突起を差し込み係合させることで、前記ブランク落下孔の内周面と前記ブランク落下案内壁板の前記案内板面とが面一の状態で前記ブランキング下型基板に対し前記ブランク落下案内壁板が位置決めされるようにするのが好ましい（第３発明）。
【発明の効果】
【００１２】
本発明のブランキング下型によれば、ブランクが通過可能なブランク落下孔を有する板状のブランキング下型基板と、このブランキング下型基板に垂設され、ブランク落下孔の内周面と面一の平坦な案内板面を有するブランク落下案内壁板とにより構成されるので、ブランク落下孔を有する複数の合板を積層して構成される従来のブランキング下型では必要とされる複数の合板の貼り合せ作業や、ブランク落下孔の内周面を段差がないように平らに削る作業などが不要になり、ブランキング下型を短時間で容易に作製することができる。また、ブランク落下孔を通して落下されるブランクは、ブランク落下孔の内周面と面一で、かつ平坦なブランク落下案内壁板の案内板面の案内によって落下されるので、ブランクをスムーズに落下させることができる。
【００１３】
第２発明の構成を採用することにより、合板の平滑な板面を利用してブランクの落下をスムーズに案内することができる。
【００１４】
第３発明の構成を採用することにより、ブランク落下案内壁板がブランク落下孔の内方側に位置ずれを起こさないようにブランキング下型基板に設けられた所定肉厚部でブランク落下案内壁板に設けられた突起が保持されるので、ブランク落下孔の内周面とブランク落下案内壁板の案内板面とが面一となるようにブランキング下型基板に対して位置決めされたブランク落下案内壁板の状態位置を安定的に保つことができる。
【図面の簡単な説明】
【００１５】
【図１】本発明の一実施形態に係るブランキング下型を具備するブランキング型の要部縦断面図である。
【図２】同ブランキング下型の全体斜視図である。
【図３】同ブランキング下型の分解斜視図である。
【図４】同ブランキング下型の要部拡大斜視図である。
【図５】図４のＡ−Ａ線断面図である。
【図６】図６（ａ）は、スライドガイドがアダプタを介してブランキング下型の要所に装着された状態図で、図６（ｂ）は、スライドガイドがアダプタに保持された状態を示す斜視図である。
【発明を実施するための形態】
【００１６】
次に、本発明によるブランキング下型の具体的な実施の形態について、図面を参照しつつ説明する。
【００１７】
＜ブランキング型の説明＞
図１に示されるブランキング型１は、図示されない平盤打抜き装置の排出部に装着されている。このブランキング型１は、ブランク２ａとその回りの外郭余剰部２ｂとの間が所要の繋ぎ部２ｃによって繋ぎ止められた状態の材料シート２が送り込まれる搬送ラインＬの上側位置に配されるブランキング上型３と、このブランキング上型３に対向して搬送ラインＬの下側位置に配されるブランキング下型４とを備えて構成されている。なお、ブランキング下型４の下方には、所要の速度で昇降可能なテーブル５が配設されている。
【００１８】
＜ブランキング上型の説明＞
ブランキング上型３は、図示されない平盤打抜き装置の排出部における上部フレームに対して着脱自在に装着されるブランキング上型基板１１を備えている。このブランキング上型基板１１には、材料シート２におけるブランク２ａを下方へと押し込むためのブランク押込部材１２が取り付けられるとともに、材料シート２における外郭余剰部２ｂを押え付けるマージン押付部材１３が例えば圧縮コイルばねや弾発力を得られる樹脂製のクッション材などの弾性体１４を介して取り付けられている。
【００１９】
＜ブランキング下型の説明＞
図２および図３に示されるように、ブランキング下型４は、上下方向に板面を向けて配されるブランキング下型基板１５と、このブランキング下型基板１５の下側の板面に組み付けられる枠体１６とを備えて構成されている。
【００２０】
＜ブランキング下型基板の説明＞
図３に示されるように、ブランキング下型基板１５は、ブランク２ａの外形と相似形状でブランク２ａが通過可能な４つのブランク落下孔１７を、平面視で縦横に所定ピッチで１枚の合板に穿設してなるものである。このブランキング下型基板１５におけるブランク落下孔１７の外側には、上下方向に貫通するように開口された所要の位置決め用開口部１８が、ブランク落下孔１７との間に所定肉厚部１９を有するように形成されている。
【００２１】
＜枠体の説明＞
枠体１６は、ブランキング下型基板１５への組付状態において、４つのブランク落下孔１７の全体を透視平面視で取り囲むようにブランキング下型基板１５の外周寄りの部分を支持する四角形状の外枠２１と、ブランキング下型基板１５における互いに隣り合うブランク落下孔１７の間の部分を支持する十文字状の仕切り枠２２とにより構成されている。
【００２２】
＜外枠の説明＞
外枠２１は、所定間隔で平行に配される一対の縦枠材２３と、一対の縦枠材２３と直交するように所定間隔で平行に配される一対の横枠材２４とが四角形状に組まれてなるものである。一対の縦枠材２３および一対の横枠材２４は、いずれも板面を水平方向に向けて鉛直方向に立てた状態の内側のブランク落下案内壁板２５ａと外側のブランク落下案内壁板２５ｂとを互いの板面を突き合せるように組み合わされてなり、このように組み合わせることによって高強度を有するものとされている。
【００２３】
内側のブランク落下案内壁板２５ａと外側のブランク落下案内壁板２５ｂとは内側のブランク落下案内壁板２５ａが後述する突起３２を有するのに対し、外側のブランク落下案内壁板２５ｂはそのような突起３２を有しない点を除いて基本構造が同じであるため、代表例として内側のブランク落下案内壁板２５ａを主体に以下に説明する。
【００２４】
図４および図５に示されるように、内側のブランク落下案内壁板２５ａは、ブランキング下型基板１５への枠体１６の組付状態において、ブランキング下型基板１５におけるブランク落下孔１７の内周縁近傍部２６から垂れ下がるように設けられ、この垂設状態のときにブランク落下孔１７の内周面２７と面一となる平坦な案内板面２８を有している。このブランク落下案内壁板２５ａにおいては、案内板面２８を構成する板面を有するベニヤ３０ａと案内板面２８と平行な板面を有する所要枚数のベニヤ３０ｂとがその厚み方向に重ね合わせてなる合板により構成されている。
【００２５】
ブランク落下案内壁板２５ａは、ブランキング下型基板１５への枠体１６の組付状態において、ブランキング下型基板１５の下面に突き当てられる上面を有している。このブランク落下案内壁板２５ａの上面には、所定肉厚部１９に当接可能な肉厚部当接面部３１が形成されている。さらに、ブランク落下案内壁板２５ａの上面には、位置決め用開口部１８と係合可能な突起３２が形成されている。
【００２６】
ブランキング下型基板１５に対する枠体１６の組付けの際、所定肉厚部１９に肉厚部当接面部３１が当接されるまで位置決め用開口部１８に突起３２を差し込み係合させることにより、ブランク落下孔１７の内周面２７とブランク落下案内壁板２５ａの案内板面２８とが面一の状態でブランキング下型基板１５に対しブランク落下案内壁板２５ａが位置決めされるようになっている。
【００２７】
＜仕切り枠の説明＞
図３に示されるように、仕切り枠２２は、ブランキング下型基板１５における縦方向および横方向にそれぞれ隣り合うブランク落下孔１７の間の部分を支持するために当該部分の下側においてブランク落下案内壁板３５が縦横に十文字状に組まれてなるものである。
【００２８】
ブランク落下案内壁板３５は、ブランキング下型基板１５への枠体１６の組付状態において、ブランキング下型基板１５における互いに隣り合うブランク落下孔１７の間の部分から垂れ下がるように設けられ、この垂設状態のときにブランク落下孔１７の内周面２７と面一となる平坦な案内板面３６を有している。ブランク落下案内壁板３５においても、図示による詳細説明は省略するが、ブランク落下案内壁板２５ａと同様に、案内板面３６を構成する板面を有するベニヤと案内板面３６と平行な板面を有する所要枚数のベニヤとがその厚み方向に重ね合わせてなる合板により構成されている。
【００２９】
本実施形態においては、図５に示されるように、各ブランク落下孔１７の下方におけるブランクの落下経路が、外枠２１を構成する縦横にそれぞれ延びるブランク落下案内壁板２５ａと、仕切り枠２２を構成する縦横にそれぞれ延びるブランク落下案内壁板３５とによって取り囲まれ、それらブランク落下案内壁板２５ａ，３５によってブランク２ａの落下を案内するブランク落下案内壁４０が構成されている。
【００３０】
なお、ブランク落下案内壁板２５ａ，３５には、適所に所要の空気逃し孔４１を形成するのが良い。これにより、ブランク２ａの落下時の空気流れを、空気逃し孔４１を通して逃がすこができるので、落下時の空気抵抗でブランク２ａが斜めに傾いたり横方向にずれたりするのを確実に防ぐことができ、所定の場所に向けて真下に正確に落下させることができる。
【００３１】
＜スライドガイドの説明＞
図４に示されるように、ブランク落下案内壁板２５ａ，３５の案内板面２８，３６における要所には、固定案内部片４２ａと可動案内部片４２ｂとを備えてなる平板状のスライドガイド４２が配設されている。スライドガイド４２は、案内板面２８，３６に予め形成されたアリ溝状の嵌め込み部４３に嵌め込まれ、当該スライドガイド４２の案内面が案内板面２８，３６と面一となるような状態で配設されている。スライドガイド４２においては、固定案内部片４２ａが木螺子等の固定手段にてブランク落下案内壁板２５ａ，３５に固定される一方、該固定案内部片４２ａに対し可動案内部片４２ｂが上下に摺動自在に取り付けられており、上下に伸縮自在とされている。
【００３２】
＜スライドガイド用アダプタの説明＞
なお、上記のように、スライドガイド４２をブランク落下案内壁板２５ａ，３５に直接的に取り付ける態様例に限られず、図６（ａ）に示されるように、ブランキング下型基板１５におけるブランク落下孔１７の内周縁近傍部の要所に取付孔４４（位置決め用開口部１８と同様のもの）を形成し、この取付孔４４に係合する突起４５ａ（前記突起３２と同様のもの）を有してなる図６（ｂ）に示されるようなアダプタ４５に前記嵌め込み部４３と同様の嵌め込み部４６を設けて、アダプタ４５を介してブランキング下型４の所要位置にスライドガイド４２を配設する態様もあり得る。
【００３３】
＜ブランク抜き落とし動作の説明＞
以上に述べたように構成されるブランキング型１を用いたブランク２ａの抜き落とし動作について、主に図１を用いて以下に説明する。
【００３４】
図１に示されるように、ブランク２ａとその回りの外郭余剰部２ｂとの間が所要の繋ぎ部２ｃによって繋ぎ止められた状態の材料シート２が、ブランキング上型３とブランキング下型４との間に送り込まれて、所定の位置決めが成されて配されている状態において、ブランキング下型４を上昇させる。すると、材料シート２における外郭余剰部２ｂが、ブランキング下型基板１５とマージン押付部材１３とによって挟み付けられ、ブランキング下型４が上昇を続けると、材料シート２におけるブランク２ａにブランク押込部材１２が接触し、その後、更にブランキング下型４が上昇すると、ブランク２ａがブランク押込部材１２によりブランク落下孔１７へと押し込まれ、これによってブランク２ａとその回りの外郭余剰部２ｂとの間の繋ぎ部２ｃが剪断されてブランク２ａがブランク落下孔１７を通して抜き落とされる。そして、ブランク落下孔１７を通して抜き落とされたブランク２ａは、案内板面２８，３６やスライドガイド４２に接触しながら落下し、下方のテーブル５上に積み重ねられる。
【００３５】
＜作用効果の説明＞
本実施形態のブランキング下型４によれば、ブランク２ａが通過可能なブランク落下孔１７を有する板状のブランキング下型基板１５と、このブランキング下型基板１５に垂設され、ブランク落下孔１７の内周面２７と面一の案内板面２８，３６を有するブランク落下案内壁板２５ａ，３５とにより構成されるので、ブランク落下孔を有する複数の合板を積層して構成される従来のブランキング下型では必要とされる複数の合板の貼り合せ作業や、ブランク落下孔の内周面を段差がないように平らに削る作業などが不要になり、ブランキング下型４を短時間で容易に作製することができる。
【００３６】
また、ブランク落下孔１７を通して落下されるブランク２ａは、ブランク落下孔１７の内周面２７と面一で合板の平滑な板面を利用した案内板面２８，３６の案内によって落下されるので、ブランク２ａをスムーズに落下させることができる。
【００３７】
さらに、ブランク落下案内壁板２５ａがブランク落下孔１７の内方側に位置ずれを起こさないようにブランキング下型基板１５に設けられた所定肉厚部１９でブランク落下案内壁板２５ａに設けられた突起３２が保持されるので、ブランク落下孔１７の内周面２７とブランク落下案内壁板２５ａの案内板面２８とが面一となるようにブランキング下型基板１５に対して位置決めされたブランク落下案内壁板２５ａの状態位置を安定的に保つことができる。
【００３８】
以上、本発明のブランキング下型について、一実施形態に基づいて説明したが、本発明は上記実施形態に記載した構成に限定されるものではなく、その趣旨を逸脱しない範囲において適宜その構成を変更することができるものである。
【産業上の利用可能性】
【００３９】
本発明のブランキング下型は、短時間で容易に作製することができるとともに、抜き落とされるブランクをスムーズに落下させることができるという特性を有していることから、紙器等の製作に用いられる平盤打抜き装置の排出部に組み込まれるブランキング型の用途に好適に用いることができる。
【符号の説明】
【００４０】
１      ブランキング型
２      材料シート
２ａ    ブランク
３      ブランキング上型
４      ブランキング下型
１５    ブランキング下型基板
１７    ブランク落下孔
１８    位置決め用開口部
１９    所定肉厚部
２５ａ  ブランク落下案内壁板（外枠側）
２８    案内板面（外枠側）
３１    肉厚部当接面部
３２    突起
３５    ブランク落下案内壁板（仕切り枠側）
３６    案内板面（仕切り枠側）
【図１】
2018086713.tif 000003
【図２】
2018086713.tif 000004
【図３】
2018086713.tif 000005
【図４】
2018086713.tif 000006
【図５】
2018086713.tif 000007
【図６】
2018086713.tif 000008
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
材料シートに対する打抜き加工にて得られるブランクを抜き落とすためのブランキング下型であって、
前記ブランクが通過可能なブランク落下孔を有する板状のブランキング下型基板と、このブランキング下型基板の下面側に垂設され、前記ブランク落下孔の内周面と面一の平坦な案内板面を有するとともに、前記案内板面を構成する板面を有する一のベニヤと前記案内板面と平行な板面を有する他のベニヤとをその厚み方向に重ね合わせてなる合板により構成されるブランク落下案内壁板とを備え、前記ブランク落下孔を通して落下される前記ブランクの落下を前記案内板面で案内するようにしたことを特徴とするブランキング下型。
【請求項２】
前記ブランキング下型基板における前記ブランク落下孔の外側に、少なくとも下方に開口された位置決め用開口部を、前記ブランク落下孔との間に所定肉厚部を有するように設け、前記ブランキング下型基板の下面に突き当てられる前記ブランク落下案内壁板の上面に、前記所定肉厚部に当接可能な肉厚部当接面部を設けるとともに、前記位置決め用開口部と係合可能な突起を設け、前記所定肉厚部に前記肉厚部当接面部が当接されるまで前記位置決め用開口部に前記突起を差し込み係合させることで、前記ブランク落下孔の内周面と前記ブランク落下案内壁板の前記案内板面とが面一の状態で前記ブランキング下型基板に対し前記ブランク落下案内壁板が位置決めされるようにすることを特徴とする請求項１に記載のブランキング下型。
【手続補正２】
【補正対象書類名】明細書
【補正対象項目名】０００９
【補正方法】変更
【補正の内容】
【０００９】
前記目的を達成するために、本発明によるブランキング下型は、
材料シートに対する打抜き加工にて得られるブランクを抜き落とすためのブランキング下型であって、
前記ブランクが通過可能なブランク落下孔を有する板状のブランキング下型基板と、このブランキング下型基板の下面側に垂設され、前記ブランク落下孔の内周面と面一の平坦な案内板面を有するとともに、前記案内板面を構成する板面を有する一のベニヤと前記案内板面と平行な板面を有する他のベニヤとをその厚み方向に重ね合わせてなる合板により構成されるブランク落下案内壁板とを備え、前記ブランク落下孔を通して落下される前記ブランクの落下を前記案内板面で案内するようにしたことを特徴とするものである（第１発明）。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
本発明において、前記ブランキング下型基板における前記ブランク落下孔の外側に、少なくとも下方に開口された位置決め用開口部を、前記ブランク落下孔との間に所定肉厚部を有するように設け、前記ブランキング下型基板の下面に突き当てられる前記ブランク落下案内壁板の上面に、前記所定肉厚部に当接可能な肉厚部当接面部を設けるとともに、前記位置決め用開口部と係合可能な突起を設け、前記所定肉厚部に前記肉厚部当接面部が当接されるまで前記位置決め用開口部に前記突起を差し込み係合させることで、前記ブランク落下孔の内周面と前記ブランク落下案内壁板の前記案内板面とが面一の状態で前記ブランキング下型基板に対し前記ブランク落下案内壁板が位置決めされるようにするのが好ましい（第２発明）。
【手続補正５】
【補正対象書類名】明細書
【補正対象項目名】００１３
【補正方法】変更
【補正の内容】
【００１３】
また、本発明では、ブランク落下案内壁板が前記案内板面を構成する板面を有する一のベニヤと前記案内板面と平行な板面を有する他のベニヤとをその厚み方向に重ね合わせてなる合板により構成されているので、合板の平滑な板面を利用してブランクの落下をスムーズに案内することができる。
【手続補正６】
【補正対象書類名】明細書
【補正対象項目名】００１４
【補正方法】変更
【補正の内容】
【００１４】
第２発明の構成を採用することにより、ブランク落下案内壁板がブランク落下孔の内方側に位置ずれを起こさないようにブランキング下型基板に設けられた所定肉厚部でブランク落下案内壁板に設けられた突起が保持されるので、ブランク落下孔の内周面とブランク落下案内壁板の案内板面とが面一となるようにブランキング下型基板に対して位置決めされたブランク落下案内壁板の状態位置を安定的に保つことができる。